(57)【要約】【課題】歪み、変形が生じにくい回転体、この回転体を用いた駆動伝達装置、及び、この駆動伝達装置を用いた画像形成装置を提供する。  【解決手段】従動ギア８０が、第２の円筒部８２と、第２の円筒部８２の内部を円筒部８２の半径方向であって軸ａ１と垂直な方向に隔てるように設けられた第２の隔壁部９６と、第２の隔壁部９６の一方に設けられた第１の内側リブ８６と、第２の隔壁部９６の他方に設けられた第２の内側リブ８８とを有していて、前記第１の内側リブ８６と前記第２の内側リブ８８とが、第２の円筒部８２の円周方向において異なる位置に配置される。【選択図】  図３
2007047267.tif 000002
【特許請求の範囲】
【請求項１】
円筒部と、
この円筒部の内部を半径方向に隔てるように設けられた隔壁部と、
この隔壁部の一方に設けられた第１のリブと、
前記隔壁部の他方に設けられた第２のリブと、を有し、
前記第１のリブと前記第２のリブとが前記円筒部の円周方向において異なる位置に配置されることを特徴とする回転体。
【請求項２】
前記第１のリブと前記第２のリブとは、それぞれ複数個が等間隔に設けられ、前記円筒部の周方向において互いに隣接する第１のリブの略中央に前記第２のリブが配置されることを特徴とする請求項１記載の回転体。
【請求項３】
前記第１のリブと前記第２のリブとは、それぞれ複数個が等間隔に設けられ、互いに隣接する第１のリブがそれぞれ前記円筒部に連結される位置の間隔と、互い隣接する第２のリブがそれぞれ前記円筒部に連結される位置との間隔とが２０ｍｍ以上であることを特徴とする請求項１又は２記載の回転体。
【請求項４】
前記円筒部の外周面に歯列が設けられたことを特徴とする請求項１乃至３いずれか記載の回転体。
【請求項５】
前記円筒部の内側に支持部を有し、この支持部に支持軸挿入孔が設けられたことを特徴とする請求項１乃至４いずれか記載の回転体。
【請求項６】
第１の円筒部と、
この第１の円筒部内に設けられた第２の円筒部と、
前記第１の円筒部の内部を半径方向に隔てるように設けられた第１の隔壁部と、
前記第２の円筒部の内部を半径方向に隔てるように設けられた第２の隔壁部と、
この第２の隔壁部の一方に設けられた第１の内側リブと、
前記第２の隔壁部の他方に設けられた第２の内側リブと、
前記第１の隔壁部の半径方向において前記第１の内側リブと同じ側に設けられた第１の外側リブと、
前記第１の隔壁部の半径方向において前記第２の内側リブと同じ側に設けられた第２の外側リブと、を有し、
前記第１の内側リブと前記第２の内側リブとが前記第２の円筒部の円周方向において異なる位置に配置され、前記第１の外側リブと前記第２の外側リブとが前記第１の円筒部に周方向において異なる位置に配置されることを特徴とする回転体。
【請求項７】
前記第１の内側リブと前記第２の内側リブとは、それぞれ複数個が等間隔に設けられ、前記第２の円筒部の周方向において互いに隣接する第１の内側リブの略中央に前記第２の内側リブが設けられていることを特徴とする請求項６記載の回転体。
【請求項８】
前記第１の外側リブと前記第２の外側リブとは、それぞれ複数個が等間隔に設けられ、前記第１の円筒部の周方向において互いに隣接する第１の外側リブの略中央に前記第２の外側リブが設けられていることを特徴とする請求項６又は７記載の回転体。
【請求項９】
前記第１の内側リブと前記第２の内側リブとは、それぞれ複数個が等間隔に設けられ、互いに隣接する第１の内側リブがそれぞれ前記第２の円筒部に連結される位置の間隔と、互いに隣接する第２の内側リブがそれぞれ前記第２の円筒部に連結される位置の間隔とが２０ｍｍ以上であることを特徴とする請求項６乃至８いずれか記載の回転体。
【請求項１０】
前記第１の外側リブと前記第２の外側リブとは、それぞれ複数個が等間隔に設けられ、互いに隣接する第１の外側リブがそれぞれ前記第１の円筒部に連結される位置の間隔と、互いに隣接する第２の外側リブがそれぞれ前記第１の円筒部に連結される位置の間隔とが３０ｍｍ以上であることを特徴とする請求項６乃至９いずれか記載の回転体。
【請求項１１】
前記第１の内側リブと前記第１の外側リブとが、前記第１の円筒部の周方向において異なる位置に配置され、同方向において前記第２の内側リブと前記第２の外側リブとが異なる位置に配置されることを特徴とする請求項６乃至１０記載の回転体。
【請求項１２】
前記第１の円筒部の外周面に歯列が設けられたことを特徴とする請求項６乃至１１いずれか記載の回転体。
【請求項１３】
前記第２の円筒部の内側に支持部を有し、この支持部に支持軸挿入孔が設けられたことを特徴とする請求項６乃至１２いずれか記載の回転体
【請求項１４】
請求項１乃至１３いずれか記載の回転体を有することを特徴とする駆動伝達装置。
【請求項１５】
請求項１４記載の駆動伝達装置を有することを特徴とする画像形成装置。
【発明の詳細な説明】
【技術分野】
【０００１】
本発明は、プーリ、ギア等の回転体、この回転体を有する駆動伝達装置、及び、この駆動伝達装置を有する画像形成装置に関する。
【背景技術】
【０００２】
複写機、プリンタ、ファクシミリ等の画像形成装置においては、例えば感光体、中間転写体、帯電ロール、転写ロール、搬送ロール等の駆動部材があり、これらを駆動するために駆動伝達装置が用いられている。
【０００３】
このような画像形成の駆動伝達装置として、ギアやプーリ等の回転体であって、円筒部を有し、この円筒部をリブで補強してなる回転体を用いる技術が知られている（特許文献１、特許文献２、特許文献３）。
【０００４】
【特許文献１】特開平９−２３０６５７
【特許文献２】特開平１０−２４６３１２
【特許文献３】特開平１１−１２５３２５
【発明の開示】
【発明が解決しようとする課題】
【０００５】
しかしながら、従来の技術では、回転体の強度が不足し、外部から力が加えられた場合などに回転体に歪みが生じることがあった。また、この回転体を駆動伝達装置に用いた場合、歪みによる回転ムラで駆動伝達が良好になされないことがあり、また、この駆動伝達装置を画像形成装置に用いた場合、回転ムラにより形成される画像品質が低下することがあるとの問題点があった。
【０００６】
本発明の目的は、歪み、変形が生じにくい回転体、この回転体を用いた駆動伝達装置、及び、この駆動伝達装置を用いた画像形成装置を提供することを目的とする。
【課題を解決するための手段】
【０００７】
上記課題を解決するために、本発明の第１の特徴とするところは、円筒部と、この円筒部の内部を半径方向に隔てるように設けられた隔壁部と、この隔壁部の一方に設けられた第１のリブと、前記隔壁部の他方に設けられた第２のリブと、を有し、前記第１のリブと前記第２のリブとが前記円筒部の円周方向において異なる位置に配置される回転体にある。したがって、第１のリブと第２のリブとを、円筒部の周方向において同じ位置に配置した場合と比較して、円筒部と各リブと連結される箇所の数が増え回転体の強度が上がる。そして、回転体の強度が上がることで、回転体の歪が生じにくくなり、歪により回転ムラが発生しにくくなる。
【０００８】
好適には、前記第１のリブと前記第２のリブとは、それぞれ複数個が等間隔に設けられ、前記円筒部の周方向において互いに隣接する第１のリブの略中央に前記第２のリブが配置される。したがって、第１のリブと第２のリブが１つのみの場合と比較して回転体の強度が上がる。また、第１のリブと第２のリブとが円筒部の周方向に均等に配置されるため、どの方向から力が加えられても回転体に歪みが生じにくい。
【０００９】
また、好適には、前記第１のリブと前記第２のリブとは、それぞれ複数個が等間隔に設けられ、互いに隣接する第１のリブがそれぞれ前記円筒部に連結される位置の間隔と、互い隣接する第２のリブがそれぞれ前記円筒部に連結される位置との間隔とが２０ｍｍ以上である。
【００１０】
また、好適には、円筒部の外周面に歯列が設けられる。したがって、回転体を歯車として利用することができる。
【００１１】
また、好適には、円筒部の内側に支持部を有し、この支持部に支持軸挿入孔が設けられる。したがって、支持軸により回転体を支持することができる。
【００１２】
また、上記課題を解決するために、本発明の第２の特徴とするところは、第１の円筒部と、この第１の円筒部内に設けられた第２の円筒部と、前記第１の円筒部の内部を半径方向に隔てるように設けられた第１の隔壁部と、前記第２の円筒部の内部を半径方向に隔てるように設けられた第２の隔壁部と、この第２の隔壁部の一方に設けられた第１の内側リブと、前記第２の隔壁部の他方に設けられた第２の内側リブと、前記第１の隔壁部の半径方向において前記第１の内側リブと同じ側に設けられた第１の外側リブと、前記第１の隔壁部の半径方向において前記第２の内側リブと同じ側に設けられた第２の外側リブと、を有し、前記第１の内側リブと前記第２の内側リブとが前記第２の円筒部の円周方向において異なる位置に配置され、前記第１の外側リブと前記第２の外側リブとが前記第１の円筒部に周方向において異なる位置に配置される回転体にある。したがって、第１の内側リブと第２の内側リブとを、第２の円筒部の周方向において同じ位置に配置した場合と比較して、第２の円筒部と各内側リブと連結される箇所の数が増え回転体の強度が上がる。また、第１の外側リブと第２の外側リブとを、第１の円筒部の周方向において同じ位置に配置した場合と比較して、第１の円筒部と各外側リブと連結される箇所の数が増え回転体の強度が上がる。
【００１３】
また、好適には、前記第１の内側リブと前記第２の内側リブとは、それぞれ複数個が等間隔に設けられ、前記第２の円筒部の周方向において互いに隣接する第１の内側リブの略中央に前記第２の内側リブが設けられている。したがって、第１の内側リブと第２の内側リブが１つのみの場合と比較して回転体の強度が上がる。また、第１の内側リブと第２の内側リブとが第２の円筒部の周方向に均等に配置されるため、どの方向から力が加えられても回転体に歪みが生じにくい。
【００１４】
また、好適には、前記第１の外側リブと前記第２の外側リブとは、それぞれ複数個が等間隔に設けられ、前記円筒部の周方向において互いに隣接する第１の外側リブの略中央に前記第２の外側リブが設けられている。したがって、第１の外側リブと第２の外側リブが１つのみの場合と比較して回転体の強度が上がる。また、第１の外側リブと第２の外側リブとが円筒部の周方向に均等に配置されるため、どの方向から力が加えられても回転体に歪みが生じにくい。
【００１５】
また、好適には、前記第１の内側リブと前記第２の内側リブとは、それぞれ複数個が等間隔に設けられ、互いに隣接する第１の内側リブがそれぞれ前記第２の円筒部に連結される位置の間隔と、互いに隣接する第２の内側リブがそれぞれ前記第２の円筒部に連結される位置の間隔とが２０ｍｍ以上である。
【００１６】
また、好適には、前記第１の外側リブと前記第２の外側リブとは複数個が等間隔に設けられ、互いに隣接する第１の外側リブがそれぞれ前記第１の円筒部に連結される位置の間隔と、互いに隣接する第２の外側リブがそれぞれ前記第１の円筒部に連結される位置の間隔とが３０ｍｍ以上である。
【００１７】
また、好適には、前記第１の内側リブと前記第１の外側リブとが前記円筒部の周方向において異なる位置に配置され、同方向において前記第２の内側リブと前記第２の外側リブとが異なる位置に配置される。したがって、第１の内側リブと第１の外側リブと周方向において同じ位置にあり、第２の内側リブと第２の外周側円筒部とが周方向において同じ位置にある場合と比較して、第２の円筒部と、各内側リブ及び各外側リブとが連結される箇所が多くなり、回転体の強度を上げることができる。
【００１８】
また、好適には、前記第１の円筒部の外周面に歯列が設けられる。したがって、回転体を歯車として利用することができる。
【００１９】
また、好適には、前記第２の円筒部の内側に支持部を有し、この支持部に支持軸挿入孔が設けられる。したがって、支持軸により回転体を支持することができる。
【００２０】
さらに、本発明は上記回転体を有する駆動伝達装置と、この駆動伝達装置を有する画像形成装置を含むものである。
【発明の効果】
【００２１】
本発明によれば、歪み、変形が生じにくい回転体、この回転体を用いた駆動伝達装置、及び、この駆動伝達装置を提供することができる。
【発明を実施するための最良の形態】
【００２２】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に排出部１６が設けられていると共に、この画像形成装置本体１２の下部に給紙装置１８が設けられている。
【００２３】
排出部１６は、画像形成装置本体１２に対して回動自在の傾斜部２２を有する。この傾斜部２２は、排出口部分が低く、前面方向（図１の右方向）に向けて徐々に高くなるよう傾斜しており、排出口部分を下端とし、高くなった先端を上端としている。この傾斜部２２は下端を中心に回動自在であるよう画像形成装置本体１２に支持されている。図１において２点鎖線で示すように、傾斜部２２を上方に回転して開いたときには、開放部２４が形成され、この開放部２４を介して後述するプロセスカートリッジ４０が脱着できるようにしてある。
【００２４】
像形成手段１４は、例えば電子写真方式のもので、感光体からなる像担持体２６と、この像担持体２６を一様帯電する例えば帯電ロールからなる帯電装置２８と、この帯電装置２８により帯電された像担持体２６に光により潜像を書き込む光書込み装置３０と、この光書込み装置３０により形成された像担持体２６の潜像を現像剤により可視化する現像ロール４２を有する現像装置３２と、この現像装置３２による現像剤像を用紙に転写する例えば転写ロールからなる転写装置３４と、像担持体２６に残存する現像剤をクリーニングする例えばブレードからなるクリーニング装置３６と、転写装置３４により転写された用紙上の現像剤像を用紙に定着させる例えば加圧ロールと加熱ロールとからなる定着装置３８とから構成されている。光書込み装置３０は例えば走査型のレーザ露光装置からなり、給紙装置１８の給紙カセット２０と平行で画像形成装置本体１２の前面（図１の右側面）近傍に配置され、現像装置３２内を横切って像担持体２６を露光する。
【００２５】
プロセスカートリッジ４０は、像担持体２６、帯電装置２８、現像装置３２及びクリーニング装置３６を一体化したものである。このプロセスカートリッジ４０は、排出部１６の傾斜部２２の直近下方に配置されており、前述したように、傾斜部２２を開いたときに形成される開放部２４を介して脱着される。
【００２６】
また、画像形成装置本体１２には、例えばレジストロール４４が転写装置３４の上流側（図１の下方側）に配置されている。給紙装置１８から搬送路４５に搬送された用紙は、このレジストロール４４により一時停止され、所定のタイミングで像形成手段１４に送られて像が形成され、排出ロール４６により排出部１６へ排出される。
【００２７】
ただし、両面印刷の場合は、反転路に戻される。即ち、排出ロール４６の手前は２股に別れ、その分かれた部分に切換爪４８が設けられていると共に、分かれた部分からレジストロール４４まで戻る反転路５０が形成されている。この反転路５０には搬送ロール５２ａ〜５２ｃが設けられており、両面印刷の場合には、切換爪４８が反転路５０を開く側に切り換えられ、排出ロール４６に用紙の後端手前がかかる時点で排出ロール４６が反転し、用紙が反転路５０に導かれ、レジストロール４４、転写装置３４と像担持体２６との間及び定着装置３８を通って排出部１６へ排出されるものである。
【００２８】
給紙装置１８は、給紙カセット２０と、この給紙カセット２０が収納された給紙装置本体５４とを有する。給紙装置本体５４は、前述した画像形成装置本体１２と一体に形成されており、画像形成装置１０の前面側が開口し、給紙カセット２０を受入れるようになっている。フィードロール６０は、給紙装置本体５４に支持され、リタードロール６２は給紙カセット２０に支持されており、このフィードロール６０とリタードロール６２とは互いに接触し、給紙カセット２０の最上位の用紙をピックアップし、協働して用紙を捌くようにしてある。
【００２９】
前述した像担持体２６、帯電装置２８、転写装置３４、現像ロール４２、レジストロール４４、定着装置３８、フィードロール６０等を駆動するためにモータが用いられており、このモータからの駆動力が駆動伝達装置を用いて伝達されるようになっている。図２において、駆動伝達装置の一例として現像ロール４２を駆動するものが示されている。
【００３０】
図２において、駆動伝達装置６４は、駆動源として用いられるモータ６６と、このモータ６６の回転軸に取り付けら駆動ギア６８と、駆動ギア６８に噛合った回転体として用いられる従動ギア８０と、この従動ギア８０に噛合い現像ロール４２に連結された現像ロールギア７０とを有する。したがって、モータ６６が回転すると、駆動ギア６８、従動ギア８０、現像ロールギア７０を介して現像ロール４２へ回転が伝達され、現像ロール４２が回転する。
【００３１】
図３乃至５において、従動ギア８０が示されている。
従動ギア８０は、プラスチック、例えばポリアセタールを成形したものであり、第１の円筒部９０と、第１の円筒部９０の内側に設けられた第２の円筒部８２と、第１の円筒部９０の内部を半径方向に隔てるように設けられた第１の隔壁部９８と、第２の円筒部８２の内部を半径方向に隔てるように設けられた第２の隔壁部９６と、第２の隔壁部９６の一方に設けられた第１の内側リブ８６と、第２の隔壁部９６の他方に設けられた第２の内側リブ８８と、第１の隔壁部９８の半径方向において第１の内側リブ８６と同じ側に設けられた第１の外側リブ９２と、第１の隔壁部９８の半径方向において第２の内側リブ８８と同じ側に設けられた第２の外側リブ９４とを有している。
【００３２】
第１の円筒部９０は従動ギア８０の外周部をなし、この第１の円筒部９０の外周面には、歯列９０ａが設けられていて、この歯列９０ａが、先述の駆動ギア６８に設けられた歯列と、先述の現像ロールギア７０に設けられた歯列とに噛合う。
【００３３】
第２の円筒部８２は、第１の円筒部９０よりも小径の円筒形状を有し、第１の円筒部９０の内側に配置される。この第２の円筒部８２の内側には支持部８４が設けられており、この支持部８４には支持軸７２が挿入される挿入孔８４ａが設けられている。図２に示す様に、この挿入孔８４ａに支持軸７２が挿入され、この支持軸７２を、画像形成装置本体１２を構成する側板１２ａと側板１２ｂとが回動自在に支持することで、従動ギア８０が画像形成装置本体１２に装着される。
【００３４】
第１の隔壁部９８は、第１の円筒部９０を第１の円筒部９０の中心軸ａ２の方向と垂直な方向であって、第１の円筒部９０の半径方向に隔てる部材であり、中心軸ａ２と略垂直な向きに設けられ、第１の円筒部９０の内周面と第２の円筒部８２の外周面とに固着されている。
【００３５】
第２の隔壁部９６は、第２の円筒部８２を第２の円筒部８２の中心軸ａ１の方向と垂直な方向であって第２の円筒部８２の半径方向に隔てる部材であり、中心軸ａ１と略垂直な向きに設けられ、第２の円筒部８２の内周面と支持部８４の外周面とに固着されている。
【００３６】
第１の内側リブ８６は、第２の円筒部８２の中心軸ａ１の方向に沿って、第２の隔壁部９６の一方の面９６ａ側に放射状に３０度の等間隔で１２個が設けられている。そして、この第１の内側リブ８６のうち、互いに隣接する第１の内側リブ８６がそれぞれ第２の円筒部８２に連結される位置の間隔Ｌ１は２０ｍｍ以上となっている。
【００３７】
第２の内側リブ８８は、第２の円筒部８２の中心軸ａ１の方向に沿って、第２の隔壁部９６の第１の内側リブ８６が設けられた側の面である面９６ａと逆側の面である面９６ｂ側に放射状に３０度の等間隔で１２個が設けられている。そして、この第２の内側リブ８８のうち、互いに隣接する第２の内側リブ８８がそれぞれ第２の円筒部８２に連結される位置の間隔Ｌ２は、２０ｍｍ以上であり、前述のＬ１と同間隔となっている。
【００３８】
第１の内側リブ８６と第２の内側リブ８８とは、第２の円筒部８２の周方向において異なる位置にあり、重なり合わないように配置されている。また、互いに隣接する第１の内側リブ８６の第２の円筒部８２の周方向における中央に、第２の内側リブ８６が設けられている。すなわち、互いに隣接する第１の内側リブ８６のなす角度である３０度の中央の位置である、第１の内側リブ８６からの角度が１５度の位置に第２の内側のリブ８８が配置されている。
【００３９】
第１の外側リブ９２は、第１の円筒部９０の中心軸ａ２の方向に沿って、第１の隔壁部９８の、中心軸a２方向に対して第１の内側リブ８６が設けられた面９６ａと同じ側の面である面９８ａに、放射状に３０度の等間隔で１２個が設けられている。そして、これらの第１の外側リブ９２のうち、互いに隣接する第１の外側リブ９２が、それぞれ第１の円筒部９０に連結される位置の間隔Ｌ３は３０ｍｍ以上となっている。
【００４０】
この第１の外側リブ９２と第１の内側リブ８６とは、第２の円筒部８２の周方向において異なる位置にある。また、第１の外側リブ９２は、互いに隣接する第１の内側リブ８６の第２の円筒部８２の周方向における中央に設けられている。すなわち、互いに隣接する第１のリブのなす角度である３０度の中央の位置である、第１の内側リブ８６からの角度が１５度の位置に第１の外側リブ９２が配置されている。また、第１の外側リブ９２と第２の内側リブ８８とは、第２の円筒部８２の周方向において同じ位置に設けられている。すわなち、第１の外側リブ９２と従動ギア８０の中心とを結ぶ線と、第２の内側リブ８８と従動ギア８０の中心を結ぶ線とが重なるように配置されている
【００４１】
第２の外側リブ９４は、第１の円筒部９０の中心軸ａ２の方向に沿って、第１の隔壁部９８の、中心軸a２方向に対して第２の内側リブ８８が設けられた面９６ｂと同じ側の面である面９８ｂに、放射状に３０度の等間隔で１２個が設けられている。そして、これらの第２の外側リブ９４のうち、互いに隣接する第２の外側リブ９４がそれぞれ第２の円筒部８２に連結される位置の間隔Ｌ４は３０ｍｍ以上であり、先述のＬ３と同間隔となっている。
【００４２】
この第２の外側リブ９４と第２の内側リブ８８とは、第２の円筒部８２の周方向において異なる位置にある。また、第２の外側リブ９４は、互いに隣接する第２の内側リブ８８の第２の円筒部８２の周方向における中央に設けられている。すなわち、互いに隣接する第２の内側リブ８８のなす角度である３０度の中央の位置である、第２の内側リブ８８からの角度が１５度の位置に第２の外側リブ９４が配置されている。また、第２の外側リブ９４と第１の内側リブ８６とは、第２の円筒部８２の周方向において同じ位置に設けられている。すわなち、第１の外側リブ９４と従動ギア８０の中心とを結ぶ線と、第１の内側リブ８６と従動ギア８０の中心とを結ぶ線とが重なるように配置されている。
【００４３】
第１の外側リブ９２と第２の外側リブ９４とは、第２の円筒部８２の周方向において異なる位置にあり、重なり合わないように配置されている。また、互いに隣接する第１の外側リブ９２の第２の円筒部８２の周方向における中央に、第２の外側リブ９４が設けられている。すなわち、互いに隣接する第１の外側リブ９２のなす角度である３０度の中央の位置である、第１の外側リブ９２からの角度が１５度の位置に第２の外側リブ９４が配置されている。
【００４４】
この実施形態では、第２の円筒部８２の外周面側に第１の円筒部９０を設け、この第１の円筒部９０と第２の円筒部８２とを、第１の外側リブ９２と第２の外側リブ９４とで連結しているが、これに替えて、第２の円筒部８２の外周面に歯列を設けて歯車として用いることができる。
【００４５】
また、この実施形態では第１の円筒部９０の外周面に歯列９０ａを設けて、回転体を歯車である従動ギア８０として用いているが、これに替えて第１の円筒部９０の外周面に駆動伝達ベルト支持用の溝等を設け、回転体をプーリとして用いることができる。また、第２の円筒部８２の外周面に歯列を設けて歯車として用いることに替えて、第２の円筒部８２の外周面に駆動伝達ベルト支持用の溝等を設け、回転体をプーリとして用いることができる。そして、これらのプーリとして用いられる回転体で駆動伝達装置を構成し、この実施形態で用いるギアを有する駆動伝達装置６４に替えて、ベルトを有する駆動伝達装置とすることができる。
【産業上の利用可能性】
【００４６】
以上述べたように、本発明はギアやプーリ等の回転体、この回転体を有する駆動伝達装置、及び、この駆動伝達装置を用いる画像形成装置に適用することができる。
【図面の簡単な説明】
【００４７】
【図１】本発明の実施形態に係る画像形成装置を示す側面図である。
【図２】本発明の実施形態に係る駆動伝達装置を示す断面図である。
【図３】本発明の実施形態に係る回転体を示す側面図である。
【図４】本発明の実施形態に係る回転体を示し、図３のＡ−Ａ断面図である。
【図５】本発明の実施形態に係る回転体を示し、図３のＢ−Ｂ断面図である。
【符号の説明】
【００４８】
１０    画像形成装置
２６    像担持体
２８    帯電装置
３２    現像装置
３４    転写装置
３８    定着装置
４０    プロセスカートリッジ
４２    現像ロール
４４    レジストロール
６４    駆動伝達装置
６６    モータ
６８    駆動ギア
７０    現像ロールギア
７２    支持軸
８０    従動ギア
８２      第２の円筒部
８４      支持部
８４ａ      挿入孔
８６      第１の内側リブ
８８      第２の内側リブ
９０      第１の円筒部
９０ａ      歯列
９２      第１の外側リブ
９４      第２の外側リブ
９６      第２の隔壁部
９８      第１の隔壁部
【図１】
2007047267.tif 000003
【図２】
2007047267.tif 000004
【図３】
2007047267.tif 000005
【図４】
2007047267.tif 000006
【図５】
2007047267.tif 000007